(57)【特許請求の範囲】
【請求項１】
画像データの通信を行う通信手段と、
前記通信手段で受信した画像データを出力する出力手段と、
記憶部に記憶する画像データをバックアップする際の電源として用いられる蓄電手段と、
主電源の遮断を検出する検出手段と、
前記検出手段で前記主電源の遮断が検出されている遮断状態において、前記蓄電手段から前記通信手段に電力を供給する制御を行う電源制御手段と
を備え、
前記通信手段は、前記遮断状態において、前記検出手段で前記主電源の遮断が検出されていない通常状態において実行される画像データの通信処理に比べて消費電力量の小さい通信処理を実行する画像処理装置。
【請求項２】
前記通信手段は、複数の構成要素から構成され、
前記電源制御手段が、前記遮断状態において、前記複数の構成要素のうち前記遮断状態で電力を供給する構成要素として予め設定された所定の構成要素に前記蓄電手段からの電力を供給する制御を行い、
前記通信手段が、前記遮断状態において前記蓄電手段から供給される電力に基づいて動作可能な前記所定の構成要素を用いて画像データの受信に係る処理を実行する請求項１に記載の画像処理装置。
【請求項３】
前記電源制御手段は、前記検出手段で前記主電源の遮断が検出されていない通常状態において受け付け可能な割り込み起動要因の種別数に比較して、前記遮断状態において受け付け可能な割り込み起動要因の種別数を減少する請求項１または２に記載の画像処理装置。
【請求項４】
前記通信手段は、前記遮断状態において予め定められた所定処理を省略した通信処理を実行し、前記遮断状態から前記検出手段で前記主電源の遮断が検出されていない通常状態になった場合に、前記省略した所定処理を実行する請求項１〜３のいずれか一項に記載の画像処理装置。
【請求項５】
前記出力手段は、前記遮断状態から前記検出手段で前記主電源の遮断が検出されていない通常状態になった場合に、前記遮断状態において前記記憶部に記憶された画像データを出力する請求項１〜４のいずれか一項に記載の画像処理装置。
【請求項６】
前記蓄電手段の残電力量を検知する検知手段を更に備え、
前記通信手段は、前記遮断状態において、前記検知手段で検知された前記蓄電手段の残電力量が所定の設定値未満である場合に画像データの通信処理を禁止する請求項１〜５のいずれか一項に記載の画像処理装置。
【請求項７】
前記通信手段は、前記遮断状態において予め定められたイニシャライズ処理を省略した通信処理を実行する請求項１〜６のいずれか一項に記載の画像処理装置。
【請求項８】
画像処理装置で実行される通信制御方法であって、
前記画像処理装置は、
画像データの通信を行う通信手段と、
前記通信手段で受信した画像データを出力する出力手段と、
記憶部に記憶する画像データをバックアップする際の電源として用いられる蓄電手段と、
主電源の遮断を検出する検出手段と、
前記検出手段で前記主電源の遮断が検出されている遮断状態において、前記蓄電手段から前記通信手段に電力を供給する制御を行う電源制御手段と
を備え、
前記通信手段は、前記遮断状態において、前記検出手段で前記主電源の遮断が検出されていない通常状態において実行される画像データの通信処理に比べて消費電力量の小さい通信処理を実行する通信制御方法。
【発明の詳細な説明】
【技術分野】
【０００１】
本発明の実施形態は、画像処理装置及び通信制御方法に関する。
【背景技術】
【０００２】
近年、複写機能部に加えて、公衆回線を通じて画像の送受信を行うファクシミリ機能部や、パーソナルコンピュータから受信した画像データに基づき記録媒体に画像を形成するプリンタ機能部などを複合的に備えたデジタル複合機（ＭＦＰ：Multi  Function  Peripherals）などの画像処理装置が多く開発されている。
【０００３】
この種の画像処理装置では、停電が発生して主電源の電力供給が遮断されると装置全体の機能が停止し、複写機能部やプリンタ機能部だけでなく、ファクシミリ機能部での画像データの送受信処理も行えない状態となるのが一般的である。
【０００４】
このため、従来では、停電時にも外部との通信機能を維持することを目的として、蓄電手段を有し、停電時においても蓄電手段から電源を供給してファクシミリ機能を使用可能とする画像処理装置が知られている。
【発明の概要】
【発明が解決しようとする課題】
【０００５】
しかしながら、停電時にファクシミリ機能を使用するためには相当量の電力が必要であるため、従来の画像処理装置にあっては、停電時にファクシミリ機能を使用可能とするために無停電電源装置（ＵＰＳ：Uninterruptible  Power  Supply）や二次電池などの大規模な蓄電手段を新規に追加しなければならず、それにより製造コストが増大するという課題がある。
【０００６】
そこで、本発明は、上記従来の課題を解決するものであり、既設の蓄電手段を用いて停電時の画像データの通信処理を実行可能とした画像処理装置及び通信制御方法を提供することを目的とする。
【課題を解決するための手段】
【０００７】
上記した課題を解決し、目的を達成するために、本発明の画像処理装置は、画像データの通信を行う通信手段と、前記通信手段で受信した画像データを出力する出力手段と、記憶部に記憶する画像データをバックアップする際の電源として用いられる蓄電手段と、主電源の遮断を検出する検出手段と、前記検出手段で前記主電源の遮断が検出されている遮断状態において、前記蓄電手段から前記通信手段に電力を供給する制御を行う電源制御手段とを備え、前記通信手段は、前記遮断状態において、前記検出手段で前記主電源の遮断が検出されていない通常状態において実行される画像データの受信処理に比べて消費電力量の小さい受信処理を実行する。
【０００８】
また、本発明の通信制御方法は、画像処理装置で実行される通信制御方法であって、前記画像処理装置は、画像データの通信を行う通信手段と、前記通信手段で受信した画像データを出力する出力手段と、記憶部に記憶する画像データをバックアップする際の電源として用いられる蓄電手段と、主電源の遮断を検出する検出手段と、前記検出手段で前記主電源の遮断が検出されている遮断状態において、前記蓄電手段から前記通信手段に電力を供給する制御を行う電源制御手段とを備え、前記通信手段は、前記遮断状態において、前記検出手段で前記主電源の遮断が検出されていない通常状態において実行される画像データの受信処理に比べて消費電力量の小さい受信処理を実行する。
【発明の効果】
【０００９】
本発明によれば、新規に大規模の蓄電手段を追加することなく、既設の小規模の蓄電手段を用いて停電時の画像データの通信処理を実行可能とするという作用効果を奏する。
【図面の簡単な説明】
【００１０】
【図１】図１は、本実施形態の画像処理装置の概略的なハードウェア構成を示すブロック図である。
【図２】図２は、ＮＣＵの詳細な構成を説明するための図である。
【図３】図３は、充電部及び電源制御部の詳細な構成を説明するためのブロック図である。
【図４】図４は、停電モードに遷移する場合の処理手順を示すフローチャートである。
【図５】図５は、起動要因を検出した場合の画像処理装置の処理動作を示すフローチャートである。
【図６】図６は、停電から復帰した場合の画像処理装置の処理動作を示すフローチャートである。
【図７】図７は、停電時に電源制御部が受け付ける割り込み要因の種別数を減少させる場合の画像処理装置の処理手順を示すフローチャートである。
【図８】図８は、第２の実施形態に係る処理手順を示すフローチャートである。
【図９】図９は、第３の実施形態に係る処理手順を示すフローチャートである。
【図１０】図１０は、第４の実施形態に係る処理手順を示すフローチャートである。
【発明を実施するための形態】
【００１１】
以下、本発明の実施形態について添付図面を参照して説明する。
【００１２】
なお、本発明の画像処理装置及び通信制御方法は、デジタル複合機などの少なくともファクシミリ機能のような画像データを送受信する機能を備えた画像処理装置に適用可能であるが、以下では、本発明をデジタル複合機に適用した場合について説明する。
【００１３】
（第１の実施形態）
最初に、本実施形態の画像処理装置１の概略的なハードウェア構成について説明する。
【００１４】
図１は、本実施形態の画像処理装置１の概略的なハードウェア構成を示すブロック図である。図１に示すように、本実施形態の画像処理装置１は、ＣＴＬ（Controller）部２、ＦＣＵ（FAX  Control  Unit）部３と、画像読取部４と、画像形成部５と、操作部６とを主体に構成されている。そして、ＣＴＬ部２に、他の構成要素としてのＦＣＵ部３、画像読取部４、画像形成部５及び操作部６が接続されている。
【００１５】
ここで、ＣＴＬ部２は、画像処理装置１の全体の処理動作を統括的に制御するものである。なお、ＣＴＬ部２は、ＣＰＵ（Central  Processing  Unit）、ＲＯＭ（Read  Only  Memory）、ＲＡＭ（Random  Access  Memory）などを有して構成される。また、ＣＴＬ部２には、図示しないエンジン制御部が接続されており、ＣＴＬ部２は、そのエンジン制御部を介してエンジン部としての画像読取部４及び画像形成部５を制御する。
【００１６】
ＦＣＵ部３は、ファクシミリ機能に係るファクシミリの送受信動作を行うユニットである。なお、本実施形態のＦＣＵ部３は、ＣＰＵ（Central  Processing  Unit）３０１、ＲＯＭ（Read  Only  Memory）３０２、ＲＡＭ（Random  Access  Memory）３０３、モデム３０４、ＮＣＵ（Network  Control  Unit）３０５、不揮発性ＲＡＭ３０６、充電部３０７、スイッチ（ＳＷ）３０８、電源制御部３０９、電源部３１０、停電検出部３１１、電圧検出回路３１２などの複数の構成要素（デバイスともいう。）を備えている。
【００１７】
ＣＰＵ３０１は、マイクロプロセッサなどから構成され、ＦＣＵ部３の全体の処理動作を制御するものである。具体的には、ＣＰＵ３０１は、ＲＯＭ３０２に記憶されているプログラムを実行することにより、モデム３０３、ＮＣＵ３０４、ＲＡＭ３０５、不揮発性ＲＡＭ３０６などを制御する。
【００１８】
ＲＯＭ３０２は、ＣＰＵ３０１が使用する各種データやプログラムなどを記憶するものである。ＲＡＭ３０３は、作業中のデータを記憶するものである。具体的には、ＲＡＭ３０３は、画像読取部４の読み取りで得られた２値化の画像データを記憶する。また、ＲＡＭ３０３は、モデム３０４により変調された信号をＮＣＵ３０５を介して電話回線７に出力される２値化の画像データを記憶する。また、ＲＡＭ３０３は、電話回線７から入力されたアナログ波形信号がＮＣＵ３０５及びモデム３０４を介して復調された２値化の画像データを記憶する。
【００１９】
モデム３０４は、電話回線７のアナログ波形信号と画像処理装置１内部で使用する２値化の画像データとを相互に変換するものである。具体的には、モデム３０４は、Ｇ３モデムやそのＧ３モデムに接続されるクロック発生回路（いずれも不図示）などから構成される。そして、モデム３０４は、ＣＰＵ３０１の制御のもと、ＲＡＭ３０３に記憶されている送信する２値化の画像データを変調してアナログ波形信号を生成し、ＮＣＵ３０５を介して電話回線７に出力する。また、モデム３０４は、電話回線７からのアナログ波形信号をＮＣＵ３０５を介して導き、そのアナログ波形信号を復調して２値化の画像データを生成してＲＡＭ３０３に記憶する。
【００２０】
ＮＣＵ３０５は、画像処理装置１を公衆通信網としての電話回線７に接続する制御を行うものである。具体的には、ＮＣＵ３０５は、ＣＰＵ３０１の制御のもと、モデム３０４または電話機８のいずれかに切り替えて電話回線７を接続する。また、ＮＣＵ３０５は、呼出信号を検出する手段を有し、呼出信号を検出したときに着信信号を電源制御部３０９に出力する。なお、電話機８は、ＦＣＵ部３に外付けで接続されている。また、電話機８は、例えば、ハンドセット、スピーチネットワーク、ダイヤラ、テンキー、ワンタッチキー（いずれも不図示）などから構成される。
【００２１】
不揮発性ＲＡＭ３０６は、ＦＣＵ部３の電源が遮断された状態であっても保存しておく必要のあるデータ（例えば、短縮ダイヤル番号など）を記憶するものである。
【００２２】
充電部３０７は、ＲＡＭ３０３にデータを記憶している途中に停電などによって画像処理装置１に対する商用電源（主電源ともいう。）からの電力供給が遮断された場合に、記憶途中のデータが消去されないようにするためのバックアップ電源として使用されるものである。具体的には、充電部３０７は、商用電源から供給される電力を蓄電する二次電池（蓄電手段）３０７Ａと、二次電池３０７Ａを充電するレギュレータ（充電手段）３０７Ｂ（図３参照）とを有している。
【００２３】
スイッチ（ＳＷ）３０８は、ＦＣＵ部３の各負荷部に対する電力供給を商用電源からの電力供給とバックアップ電源としての充電部３０７からの電力供給とのいずれか一方に切り替えるためのスイッチである。
【００２４】
電源制御部（マイコン）３０９は、ＦＣＵ部３の各デバイスへの通電を制御するものである。なお、本実施形態の電源制御部３０９は、電源部３１０を介して商用電源（主電源＋５Ｖ）と二次電池３０７Ａの２系統の電源に接続されている。そして、電源制御部３０９は、ＦＣＵ部３を構成する全てのデバイスに電力が供給される通常モードと、停電や断線などにより主電源が遮断されている遮断状態（停電状態ともいう。）においてプログラムの実行を停止して割り込みとしての起動要因のみを受け付ける停電モードとを有している。なお、通常モードにおいては、電源制御部３０９に対して主電源から電力が供給され、停電モードにおいては、電源制御部３０９に対して二次電池３０７Ａから電力が供給されるようになっている。
【００２５】
電源部３１０は、ＦＣＵ部３の各負荷部に対する電力供給のオン／オフを制御するスイッチング電源である。具体的には、電源部３１０は、電源制御部３０９からの起動信号や停止信号に基づいてＦＣＵ部３のデバイス毎に電力を供給したり、電力供給を停止したりするものである。
【００２６】
停電検出部３１１は、画像処理装置１に商用電源から電力が供給されているか否かを検出するものである。
【００２７】
電圧検出回路３１２は、二次電池３０７Ａの放電状態の電圧を検出するものである。
【００２８】
画像読取部４は、スキャナ機能に係る画像の読み取り動作を行うユニットである。具体的には、この画像読取部４は、例えば、図示しないＤＭＡコントローラ、画像処理ＩＣ、イメージセンサ、ＣＭＯＳロジックＩＣなどから構成される。そして、画像読取部４は、図示しない自動原稿供給装置（Auto  Document  Feeder：ＡＤＦ）やコンタクトガラスにセットされた原稿の画像をコンタクトセンサ（ＣＳ）を利用して読み取り、該読み取ったデータを２値化し、その２値化データを順次ＲＡＭに送る。
【００２９】
画像形成部５は、プリンタ機能に係る画像の形成動作を行うユニットである。具体的には、この画像形成部５は、例えば、白黒プロッタ、カラープロッタ、ＡＳＩＣ（Application  Specific  Integrated  Circuit）、定着装置などから構成される。そして、画像形成部５は、画像読取部４が読み取ってＲＡＭ３０３に記憶された画像データや、図示しないネットワークを介してパーソナルコンピュータなどの外部装置から受信した画像データや、電話回線７を介してファクシミリ受信した画像データに対して、誤差拡散やガンマ変換などの各種画像処理を行い、画像処理後の画像データに基づいて記録紙などの記録媒体に画像を形成する。
【００３０】
操作部６は、ユーザの操作入力を受け付けるものである。具体的には、操作部６は、画像の送信としてのファクシミリ送信や画像の受信としてのファクシミリ受信などをスタートさせるキーや、ファクシミリ送受信時におけるファイン、標準、自動受信などの操作モードを指定するモード選択キーや、ダイヤリング用のテンキーまたはワンタッチキーなどを備えている。
【００３１】
次に、ＮＣＵ３０５の詳細な構成について説明する。
【００３２】
図２は、ＮＣＵ３０５の詳細な構成を説明するための図である。図２に示すように、ＮＣＵ３０５は、フォトカプラ３０５Ａと、フォトカプラ３０５Ｂとを有している。
【００３３】
ここで、フォトカプラ３０５Ａは、呼出信号を検出するものであり、電話回線７を通じて呼出信号を受けると、RINGDET_NのＬレベル（着信信号）が電源制御部３０９に入力されるように動作する。
【００３４】
また、フォトカプラ３０５Ｂは、オフフックを検出するものであり、電話機８がオフフックされると、OFFHOOK_NのＬレベルが電源制御部３０９に入力されるように動作する。
【００３５】
次に、充電部３０７及び電源制御部３０９の詳細な構成について説明する。
【００３６】
図３は、充電部３０７及び電源制御部３０９の詳細な構成を説明するためのブロック図である。図３に示すように、充電部３０７は、二次電池３０７Ａ及びレギュレータ３０７Ｂを有している。充電部３０７は、レギュレータ３０７Ｂにより二次電池３０７Ａの充電を行う。具体的には、充電部３０７は、充電するときに、ＥＮ端子をＨレベルにしてレギュレータ３０７Ｂを出力させる。このような構成によれば、充電時のみＥＮ端子をＨレベルにすることで、不要な電力の消費を低減することができる。
【００３７】
また、図３に示すように、電源制御部３０９は、RINGDET_N、OFFHOOK_N、TIMER_Nなどのファクシミリ通信に係る各種の起動要因を検出する入力端子を有している。また、電源制御部３０９は、シリアルインタフェースＩ／Ｏを通じてＣＰＵ３０１とデータのやり取りを行うことができ、起動時に起動要因及び電源状態（商用電源からの電力が供給されているか否かを示す信号）を通知する。これにより、ＣＰＵ３０１が、電源制御部３０９から通知された情報に基づいてＦＣＵ部３の起動制御を変更する。
【００３８】
なお、RINGDET_Nは、呼出信号の受信時にＬレベルとなり、OFFHOOK_Nは、外付けの電話機８をオフフックしたときにＬレベルとなり、TIMER_Nは、ファクシミリ送信の指定時刻になったときにＬレベルとなるものである。なお、電源制御部３０９は、現在の時刻を示す情報を図示しないＲＴＣ（Real  Time  Clock）から取得する。
【００３９】
また、電源制御部３０９は、BAT DET_Nを検出する入力端子を有している。なお、BAT DET_Nは、電圧検出回路３１２により検出された二次電池３０７Ａの出力電圧が所定の電圧より高い場合にＨレベルとなり、他方、上記検出された二次電池３０７Ａの出力電圧が上記所定の電圧より低い場合にＬレベルとなる。
【００４０】
次に、本実施形態の画像処理装置１における処理動作について説明する。
【００４１】
最初に、画像処理装置１が停電モードに遷移する場合の処理手順について説明する。
【００４２】
図４は、停電モードに遷移する場合の処理手順を示すフローチャートである。図４に示すように、画像処理装置１では、停電や断線などにより商用電源が遮断されたことにより、二次電池３０７Ａから電源制御部３０９に対して電力が供給されると（ステップＳ１０１）、電源制御部３０９は、イニシャライズ処理を実行する（ステップＳ１０２）。そして、上記イニシャライズ処理が完了した後、画像処理装置１では、電源制御回路３０９が、RINGDET_Nなどの起動要因の割り込み検出処理を開始する（ステップＳ１０３）。
【００４３】
次に、起動要因を検出した場合の画像処理装置１の処理動作について説明する。
【００４４】
図５は、起動要因を検出した場合の画像処理装置１の処理動作を示すフローチャートである。なお、図５の例では、起動要因としてファクシミリ受信に係るRINGDET_Nを検出した場合の処理手順を示している。
【００４５】
図５に示すように、画像処理装置１では、起動要因としてのRINGDET_Nを検出すると（ステップＳ２０１：Ｙｅｓ）、電源制御部３０９は、停電検出部３１１からの通知に基づいて商用電源から電力が供給されているか否か、即ち、停電や断線などによって商用電源が遮断されている遮断状態（停電状態ともいう。）が発生しているか否かを判定する（ステップＳ２０２）。
【００４６】
この判定の結果、停電状態が発生していないと判定された場合（ステップＳ２０２：Ｎｏ）、電源制御部３０９は、電源部３１０を制御し、商用電源を介してＦＣＵ部３を構成する全てのデバイスに電力を供給させ、ＦＣＵ部３を正常に起動させる（ステップＳ２０３）。
【００４７】
その後、ＦＣＵ部３では、ＣＰＵ３０１のイニシャライズを行い（ステップＳ２０４）、続いて、電源制御部３０９がＣＰＵ３０１に対して起動要因及び電源状態（即ち、この場合、商用電源が供給されていること）を通知する（ステップＳ２０５）。すると、ＣＰＵ３０１が通常モードでの起動を行う。
【００４８】
続いて、ＣＰＵ３０１が、ＦＣＵ部３を構成する全てのデバイスのイニシャライズを行う（ステップＳ２０６）。その後、ＦＣＵ部３では、正常の起動シーケンスにて受信動作を完了させる（ステップＳ２０７）。受信が完了すると、ＦＣＵ部３では、モデム３０４にて変調などの処理を行い、ＲＡＭ３０３に受信した画像データを記憶する。そして、画像処理装置１では、ＲＡＭ３０３に記憶した画像データを出力する処理として、画像形成部５を用いて記録媒体に画像を形成する。
【００４９】
その後、電源制御部３０９は、ＦＣＵ部３を構成する全てのデバイスに対する電力供給を遮断（電源オフ）させる（ステップＳ２０８）。なお、このとき、電源制御部３０９には、二次電池３０７Ａから電力が供給されている。そして、ステップＳ２０８の処理後、画像処理装置１は、ここでの処理を終了する。
【００５０】
一方、ステップＳ２０２の判定の結果、停電状態が発生していると判定された場合（ステップＳ２０２：Ｙｅｓ）、電源制御部３０９は、スイッチ（ＳＷ）３０８をオンし、電源部３１０を制御して、ＦＣＵ部３を構成する全てのデバイスに対して二次電池３０７Ａから電力を供給させる（ステップＳ２０９）。これにより、ＦＣＵ部３が起動する。
【００５１】
その後、ＦＣＵ部３では、ＣＰＵ３０１のイニシャライズを行い（ステップＳ２１０）、続いて、電源制御部３０９がＣＰＵ３０１に対して起動要因及び電源状態（即ち、この場合、商用電源が供給されていないこと）を通知する（ステップＳ２１１）。すると、ＣＰＵ３０１が停電モードでの起動を行う。
【００５２】
続いて、ＣＰＵ３０１が、ファクシミリ受信のための必要最低限の処理として、予め定められた所定のデバイスのみイニシャライズを行う、即ち、ファクシミリ受信に必要のない設定は実施しない（ステップＳ２１２）。その後、画像データの受信が完了すると、モデム３０４にて変調などの処理を行い、ＲＡＭ３０３に受信した画像データを記憶する（ステップＳ２１３）。
【００５３】
その後、ＦＣＵ部３では、電源制御部３０９が、ＦＣＵ部３を構成する全てのデバイスのうち電源制御部３０９とＲＡＭ３０３を除く他のデバイスに対する電力供給をオフにする（ステップＳ２１４）。
【００５４】
次に、停電から復帰した場合の画像処理装置１の処理動作について説明する。
【００５５】
図６は、停電から復帰した場合の画像処理装置１の処理動作を示すフローチャートである。なお、この処理が開始される前提条件としては、停電モードにおいてＲＡＭ３０３に受信した画像データが記憶されていることが挙げられる。
【００５６】
図６に示すように、画像処理装置１では、停電モードにおいて、電源制御部３０９が、停電検出部３１１からの通知に基づいて商用電源から電力が供給されている、即ち、停電から復帰したことを検知すると（ステップＳ３０１：Ｙｅｓ）、電源制御部３０９は、電源部３１０を制御し、商用電源を介してＦＣＵ部３を構成する全てのデバイスに電力を供給させ、ＦＣＵ部３を正常に起動させる（ステップＳ３０２）。
【００５７】
その後、ＦＣＵ部３では、ＣＰＵ３０１のイニシャライズを行い（ステップＳ３０３）、続いて、電源制御部３０９がＣＰＵ３０１に対して電源状態（この場合、商用電源が供給されていること）を通知する（ステップＳ３０４）。すると、ＣＰＵ３０１が停電復帰モードでの起動を行う。
【００５８】
続いて、ＣＰＵ３０１が、ＦＣＵ部３を構成する全てのデバイスのイニシャライズを行う（ステップＳ３０５）。その後、ＣＰＵ３０１が、ＲＡＭ３０３に記憶されている画像データの出力処理を行う（ステップＳ３０６）。これにより、画像形成部５がＣＴＬ部２の制御のもと上記ＲＡＭ３０３に記憶されている画像データに基づいて記録媒体に画像を形成する。
【００５９】
その後、電源制御部３０９は、ＦＣＵ部３を構成する全てのデバイスに対する商用電源からの電力供給を遮断（電源オフ）させる（ステップＳ３０７）。なお、このとき、電源制御部３０９には、二次電池３０７Ａから電力が供給されている。そして、ステップＳ２０８の処理後、画像処理装置１は、ここでの処理を終了する。
【００６０】
このような構成によれば、停電復帰時にユーザが介入することなく自動的にファクシミリ受信の残処理としての画像データの出力処理が行われるので、停電時に記憶した画像データが放置されたり、消去されたりすることを未然に防ぐことができる。
【００６１】
次に、停電モードにおける電源制御部３０９が受け付け可能な割り込み起動要因の種別数を通常モードに比べて減少する場合の画像処理装置１の処理動作について説明する。
【００６２】
図７は、停電モードにおける電源制御部３０９が受け付け可能な割り込み起動要因の種別数を通常モードに比べて減少する場合の画像処理装置１の処理手順を示すフローチャートである。図７に示すように、画像処理装置１では、電源制御部３０９が、停電検出部３１１からの通知に基づいて商用電源から電力が供給されていない、即ち、停電や断線などによって商用電源が遮断されている遮断状態が発生したと判定すると（ステップＳ４０１：Ｙｅｓ）、続いて、電源制御部３０９は、RING DET_Nというファクシミリ受信に係る割り込み起動要因を有効とし、OFFHOOK_N及びTIMER_Nというファクシミリ送信に係る割り込み起動要因を無効とする。即ち、電源制御部３０９は、自己が受け付ける割り込み起動要因を、ファクシミリ受信に係るRING DET_N（呼出信号受信）のみに限定する（ステップＳ４０２）。
【００６３】
このような構成によれば、停電モードにおいてファクシミリ送信に係る処理を禁止することができるので、停電モードにおける二次電池３０７Ａの消費電力量を削減し、停電モードにおいてファクシミリ受信を優先して実行することができる。
【００６４】
以下、他の実施形態について説明する。
【００６５】
（第２の実施形態）
まず、最初に第２の実施形態について説明する。
【００６６】
図８は、第２の実施形態に係る処理手順を示すフローチャートであり、特に、第１の実施形態における図５の処理手順の変形例を示している。具体的には、図８の処理手順は、図５の処理手順におけるステップＳ２０９の処理をステップＳ５０９の処理に変更したものになっている。なお、以下の説明では、図８の処理手順と相違するステップＳ５０９の説明のみ行い、その他の同一の処理については説明を省略する。
【００６７】
即ち、ステップＳ５０９の処理では、図５のステップＳ２０９の処理と異なり、電源制御部３０９は、スイッチ（ＳＷ）３０８をオンし、電源部３１０を制御して、ＦＣＵ部３を構成するデバイスのうち画像データの受信に必要であると予め定められた所定のデバイス（例えば、ＣＰＵ３０１、ＲＡＭ３０３、モデム３０４、ＮＣＵ３０５など）に対してのみ二次電池３０７Ａから電力を供給させる。
【００６８】
このような構成によれば、停電モードにおける二次電池３０７Ａの消費電力量を削減することができ、それにより停電モードを長い時間維持することが可能となる。
【００６９】
以下、他の実施形態について説明する。
【００７０】
（第３の実施形態）
次に、第３の実施形態について説明する。
【００７１】
図９は、第３の実施形態に係る処理手順を示すフローチャートであり、特に、第２の実施形態における図８の処理手順の変形例を示している。具体的には、図９の処理手順は、図８の処理手順におけるステップＳ５１３の処理をステップＳ６１３の処理に変更したものになっている。なお、以下の説明では、図８の処理手順と相違するステップＳ６１３の説明のみ行い、その他の同一の処理については説明を省略する。
【００７２】
即ち、ステップＳ６１３の処理では、図８のステップＳ５１３（即ち、図５のステップＳ２１３）の処理と異なり、画像データの受信が完了すると、モデム３０４による変調を行わず、ＲＡＭ３０３に受信した画像データをそのまま記憶する。なお、このような構成を採用する場合には、画像処理装置１は、停電から復帰した場合に、ＲＡＭ３０３に記憶されている画像データの変調処理を実行して再びＲＡＭ３０３に記憶し、その後、画像データの出力処理として上記ＲＡＭ３０３に記憶された画像データに基づき画像形成部５で記録媒体に画像を形成する。
【００７３】
このような構成によれば、停電モード時にモデム３０４に二次電池３０７Ａからの電力を供給しなくて済むので、停電モードおける二次電池３０７Ａの消費電力量を削減することができ、それにより停電モードを長い時間維持することが可能となる。
【００７４】
以下、他の実施形態について説明する。
【００７５】
（第４の実施形態）
次に、第４の実施形態について説明する。
【００７６】
図１０は、第４の実施形態に係る処理手順を示すフローチャートであり、特に、第３の実施形態における図９の処理手順の変形例を示している。具体的には、図１０の処理手順は、図９の処理手順におけるステップＳ６０２：ＹｅｓとステップＳ６０９の間に、ステップＳ７１５及びステップＳ７１６の処理を追加したものとなっている。即ち、図９のステップＳ６０１〜ステップＳ６０８が、図１０のステップＳ７０１〜ステップＳ７０８に相当し、図９のステップＳ６０９〜ステップＳ６１４が、図１０のステップＳ７０９〜ステップＳ７１４に相当する。なお、以下の説明では、図９の処理手順と相違するステップＳ７１５及びステップＳ７１６の説明のみ行い、その他の同一の処理については説明を省略する。
【００７７】
即ち、ステップＳ７０２の判定の結果、停電状態が発生していると判定された場合（ステップＳ７０２：Ｙｅｓ）、電源制御部３０９は、二次電池３０７Ａの残電力量を検知する（ステップＳ７１５）。続いて、ＦＣＵ部３では、ステップＳ７１５で検知した二次電池３０７Ａの残電力量が予め設定されている設定値以上あるか否かを判定し（ステップＳ７１６）、この判定の結果、二次電池３０７Ａの残電力量が設定値以上であると判定した場合（ステップＳ７１６：Ｙｅｓ）、画像処理装置１は、処理をステップＳ７０９に移行する。
【００７８】
一方、ステップＳ７１６の判定の結果、二次電池３０７Ａの残電力量が所定の設定値未満であると判定した場合（ステップＳ７１６：Ｎｏ）、画像処理装置１は、ファクシミリ受信処理、即ち、画像データの受信処理を実行せずに、ここでの処理を終了する。
【００７９】
このような構成によれば、ファクシミリ受信処理の途中に二次電池３０７Ａの残電力がなくなることで受信した画像データが消失してしまうなどの問題が生じるのを未然に防ぐことができる。
【００８０】
即ち、以上説明した本実施形態によれば、停電や断線などによる主電源の突発的な遮断が発生した場合に、二次電池３０７Ａから供給される電力によりファクシミリ通信処理を行えるようにしたため、無停電電源装置などの大規模な蓄電手段を新規に追加することなく、主電源の遮断時に、ＲＡＭなどの記憶部に記憶する画像データをバックアップする際の電源として用いられる既設の小規模な蓄電手段（二次電池）を用いて停電時のファクシミリ通信処理を実行でき、それにより製造コストを増大させずに済むという作用効果を奏する。
【００８１】
以上、例示的な実施形態に基づいて説明したが、本実施形態は、上記した実施形態により限定されるものではない。
【００８２】
例えば、上記実施形態では、本発明をデジタル複合機に適用する場合について説明したが、これに限定されず、少なくともファクシミリ機能のような画像データを送受信する機能を備えた画像処理装置であれば他の画像処理装置であっても良いものとする。
【００８３】
また、上記実施形態では、画像形成部５を備える画像処理装置１について説明したが、これに限定されず、受信した画像データを表示装置に表示する出力手段や、画像処理装置１に接続されるパーソナルコンピュータなどの外部装置に送信する出力手段などを備える画像処理装置に適用することも可能である。
【００８４】
また、上記実施形態では、受信した画像データを揮発性メモリであるＲＡＭ３０３に記憶する構成を採用している関係で、停電モードにおいてＲＡＭ３０３に電力を供給し続ける構成を採用しているが、これに限定されず、例えば、ＲＡＭ３０３に替えて不揮発性メモリを設け、受信した画像データを不揮発性メモリに記憶し、停電モードにおいて不揮発性メモリに対する電力供給をオフにするような構成とすることも可能である。
【００８５】
また、上記実施形態のＣＰＵにおける処理を実行するプログラムは、画像処理装置１のＲＯＭなどの記憶部に予め組み込んで提供することが可能である。また、上記プログラムは、インストール可能な形式または実行可能な形式のファイルでコンピュータで読み取り可能な記憶媒体に記憶して提供することが可能である。更に、上記プログラムは、インターネットなどのネットワーク経由で提供または配布したりすることも可能である。
【００８６】
また、本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００８７】
１  画像処理装置
２  ＣＴＬ部
３  ＦＣＵ部（通信手段）
３０１  ＣＰＵ（制御手段）
３０７Ａ  二次電池（蓄電手段）
３０９  電源制御部（電源制御手段、検知手段）
３１１  停電検出部（検出手段）
５  画像形成部（出力手段）
【先行技術文献】
【特許文献】
【００８８】
【特許文献１】特開２００８−１８５７０７号公報
【特許文献２】特開平１０−２３３８６７号公報
【図１】
0005906866.tif 000002
【図２】
0005906866.tif 000003
【図３】
0005906866.tif 000004
【図４】
0005906866.tif 000005
【図５】
0005906866.tif 000006
【図６】
0005906866.tif 000007
【図７】
0005906866.tif 000008
【図８】
0005906866.tif 000009
【図９】
0005906866.tif 000010
【図１０】
0005906866.tif 000011